(57)【特許請求の範囲】
【請求項１】
内部に土砂が堆積した既設側溝のリニューアル工法であり、
既設側溝の内部幅・内部深さを測定し、この測定結果を考慮して、大きさの異なる水路形状自在変更部材のうち、測定した既設側溝に最適な大きさをした一対の水路形状自在変更部材を選択し、
前記既設側溝内の土砂を取り除いた後、前記既設側溝内幅方向両コーナー部に、前記選択した一対の水路形状自在変更部材を各々離して取り付け、前記既設側溝内での土砂堆積を阻止する水路を形成してなり、
前記水路形状自在変更部材は、裏面に前記側溝幅方向両コーナー部を形成する内側壁面と内側底壁面とに各々当接する内側壁面当接部および内側底面当接部と、前記両コーナー部の各種Ｒ面形状に対応すべく内側壁面当接部および内側底面当接部との間に設けられた対応空間部と、前記対応空間部に連通し、側溝内側側壁および内側底壁と該水路形状自在変更部材裏面とを接着する接着剤を導入する接着剤導入部とを有し、表面は上側から下側に向けて下り勾配斜面に形成した斜面形状とし、
前記水路形状自在変更部材が１種類、または大きさが異なる複数種類が用意され、
現場で所望される水路形状とすべく前記既設側溝内幅方向両コーナー部に前記一対の水路形状自在変更部材が間隔をあけて取り付けられた、
ことを特徴とする既設側溝のリニューアル工法。
【請求項２】
前記水路形状自在変更部材の表面斜面は、略凹状の凹み面に形成し、あるいは凸状に膨出させて形成した、
ことを特徴とする請求項１記載の既設側溝のリニューアル工法。

【発明の詳細な説明】
【技術分野】
【０００１】
本発明は、例えば断面略Ｕ字状側溝、断面略凹状側溝あるいは断面略Ｕ字状、断面略凹状をなす可変側溝など通常コンクリート製品で形成された既設側溝のリニューアル工法に係り、特に既設側溝の底面部位を流れる水の流速を可変出来る様水路形状を自在に変えられる水路形状自在変更部材を既設側溝底壁に取り付けて既設側溝をリニューアルする既設側溝のリニューアル工法に関するものである。
【背景技術】
【０００２】
従来、断面略Ｕ字状側溝、断面略凹状側溝あるいは可変側溝については多くの特許出願がなされ、特許がなされている。
【０００３】
しかしながら、従来の側溝敷設工法では、断面略Ｕ字状、断面略凹状をなす側溝あるいは可変側溝の内部を流れる雨水などの水の水路は、その底面が、一般的には画一的に略平坦面となっており、いかなる水量、流速であってもすべて同じ水路形状をなす側溝が使用されているものであった。
【０００４】
しかるに、側溝の敷設場所によっては、側溝内を流れる水の量や水の流速も異なり、さらに側溝を敷設する現場の敷設現場状況については、例えば水の流れる傾斜角度が急であったり、なだらかであったりして、一律な状況の現場ではなく、それぞれ状況が異なっているのが実情である。
【０００５】
また、側溝の内部を流れる雨水などは、絶えず速い流れで流れているのではなく、水流が速くなるのは例えば降雨があったときに限られ、通常は比較的緩やかな流れであることも多い。
【０００６】
従って、水の流れる傾斜角度がなだらかな場合はもちろんのこと、急傾斜であったとしても、長期間降雨がないときには、流れが緩やかであるために側溝中の底面に土砂などが堆積し、その水路を遮断したり、邪魔したりすることもある。
【０００７】
この課題を解決するためには、一般的には既設側溝を掘削、撤去し、新規に円形あるいは卵形の側溝を敷設するなどのコストや時間のかかる大がかりな工事が行われることとなる。
【０００８】
既設側溝を撤去せずに既設側溝あるいは可変側溝中の底面幅方向中央に断面凹状の高速水路用溝条を形成して側溝中を流れる雨水など下水の流れを速くする提案もなされているが、前記底面幅方向中央に形成された断面凹状をなす溝条形状を自在に変更したり、あらゆる側溝幅に対応できるものではなかった。
【先行技術文献】
【特許文献】
【０００９】
【特許文献１】特開２００６−２３３４４１号公報
【発明の概要】
【発明が解決しようとする課題】
【００１０】
かくして、本発明は前記従来の側溝および側溝敷設工法をさらに進化させたものであり、既設側溝の敷設場所によって、既設側溝内を流れる水の量や水の流速も異なり、さらに側溝が敷設された現場の状況、例えば水の流れる傾斜角度が急であったり、なだらか、あるいは水路幅や深さが異なるなどの実情を考慮して構成し、もって当該既設側溝敷設現場の状況に最適な水路形状を、既設側溝を撤去することなく形成し、土砂などの堆積物を防ぐ側溝にリニューアルする工法を提供することを目的とするものである。
【課題を解決するための手段】
【００１１】
本発明は、
内部に土砂が堆積した既設側溝のリニューアル工法であり、
既設側溝の内部幅・内部深さを測定し、この測定結果を考慮して、大きさの異なる水路形状自在変更部材のうち、測定した既設側溝に最適な大きさをした一対の水路形状自在変更部材を選択し、
前記既設側溝内の土砂を取り除いた後、前記既設側溝内幅方向両コーナー部に、前記選択した一対の水路形状自在変更部材を各々離して取り付け、前記既設側溝内での土砂堆積を阻止する水路を形成してなり、
前記水路形状自在変更部材は、裏面に前記側溝幅方向両コーナー部を形成する内側壁面と内側底壁面とに各々当接する内側壁面当接部および内側底面当接部と、前記両コーナー部の各種Ｒ面形状に対応すべく内側壁面当接部および内側底面当接部との間に設けられた対応空間部と、前記対応空間部に連通し、側溝内側側壁および内側底壁と該水路形状自在変更部材裏面とを接着する接着剤を導入する接着剤導入部とを有し、表面は上側から下側に向けて下り勾配斜面に形成した斜面形状とし、
前記水路形状自在変更部材が１種類、または大きさが異なる複数種類が用意され、
現場で所望される水路形状とすべく前記既設側溝内幅方向両コーナー部に前記一対の水路形状自在変更部材が間隔をあけて取り付けられた、
ことを特徴とし、
または、
前記水路形状自在変更部材の表面斜面は、略凹状の凹み面に形成し、あるいは凸状に膨出させて形成した、
ことを特徴とするものである。

【発明の効果】
【００１２】
本発明による水路形状自在変更部材を取り付ける既設側溝のリニューアル工法であれば、
既設側溝の敷設場所によって、既設側溝内を流れる水の量や水の流速も異なり、さらに側溝が敷設された現場の状況、例えば傾斜角度が急であったり、あるいは、水路幅や深さが異なるなどの実情に即して構成でき、当該側溝敷設現場の状況に最適な水路形状を、既設側溝を撤去することなく形成でき、土砂などの堆積物を防ぐ側溝にリニューアルすることが出来るとの優れた効果を奏する。
【図面の簡単な説明】
【００１３】
【図１】本発明による既設側溝と、水路形状自在変更部材の構成を説明する構成説明図（その１）である。
【図２】本発明による既設側溝と水路形状自在変更部材の構成を説明する構成説明図（その２）である。
【図３】本発明による既設側溝と水路形状自在変更部材の構成を説明する構成説明図（その３）である。
【図４】本発明による既設側溝と水路形状自在変更部材の構成を説明する構成説明図（その４）である。
【図５】本発明による既設側溝と水路形状自在変更部材の構成を説明する構成説明図（その５）である。
【図６】本発明による既設側溝と水路形状自在変更部材の構成を説明する構成説明図（その６）である。
【図７】本発明による水路形状自在変更部材の取り付け状態を説明する説明図である。
【図８】本発明による水路形状自在変更部材の平面図である。
【図９】本発明による水路形状自在変更部材の正面図である。
【図１０】本発明による水路形状自在変更部材の接着剤充填部及び接着剤充填路の構成を説明する構成説明図である。
【図１１】本発明による水路形状自在変更部材をカーブ路に敷設した状態を説明する説明図である。
【発明を実施するための最良の形態】
【００１４】
以下、本発明を図に示す実施例に基づいて説明する。図において符号１は断面略Ｕ字状、断面略凹状をなす側溝を示す。
【００１５】
図から理解されるように、既設側溝１は垂直方向に間隔をおいて立設する一対の側壁２、２と該一対の側壁２、２を下端部で接続し、表面が略平坦面とされた底壁３とにより構成されている。そしてこのような既設側溝１は通常コンクリート部材によって形成される。
【００１６】
該コンクリート製の既設側溝１は所定の側溝敷設箇所において長手方向へ繋げられて敷設され、例えば下水路等の水路が形成される。
【００１７】
しかして、この従来の下水路などでの水が流れる箇所、すなわち水路は、略平坦面として形成された底壁３の上面全ての面と、この底壁３上面の幅方向両端から立ち上がる一対の側壁２、２内側面との間ということになる。
【００１８】
ここで、側溝を敷設して排水路などの水路を形成するに際し、敷設箇所の状況によっては、側溝内を流れる水の量、あるいは水の流速は、常に一定ではなく、側溝敷設箇所のアップダウンなど各種状況によって変化しているのが実情である。
【００１９】
例えば、流れる水の量が多い箇所は、水の流れる傾斜角度がなだらかでも水路内の水はよく流れる。
【００２０】
また、流れる水の量が少なくとも水の流れる傾斜角度が急であれば水路内の水はよく流れる。
【００２１】
しかし、水の流れが少なく、また水の流れる勾配も緩やかな箇所においては、長年の水路使用により、略Ｕ字状あるいは略凹状をなす既設側溝１の底壁３に例えば雨水と一緒に運ばれてきた土砂などが堆積してしまい、最終的にそれらが水の流れを止めてしまっていたのである。
【００２２】
そこで、本発明では、以上のような既設側溝１による水路の敷設状況をあらかじめ敷設現場にて調査し、土砂の堆積状況を把握した。さらに、側溝路の現場形状（例えば、側溝路の幅や深さ）をもよく測定、調査しておくものとした。
【００２３】
次いで、前記把握した測定、調査結果を考慮し、現場の敷設状況に沿うように、あらかじめ現場に敷設された既設側溝１内に、側溝内部の水路となる部分の表面形状が異なる、すなわち水路形状が異なる様に、水路形状自在変更部材４を取り付けていくものとした。
【００２４】
本件発明の既設側溝のリニューアル工法は、すでに敷設されている既設側溝１に適用されるものである。
【００２５】
すなわち、水路形状自在変更部材４を既設の既設側溝１に取り付けるべく、当該既設側溝１の土砂の堆積状況を把握し、さらに側溝路の現場形状を調査し、現場を流れる水の量及び流速を考慮し、既設側溝１内に使用すべき水路形状自在変更部材４を選択、決定する。
【００２６】
そして、工場より、選択した水路形状自在変更部材４・・・のみを運搬し、現場で既設側溝１内に前記選択した水路形状自在変更部材４・・・を取り付けていくことになる。
【００２７】
水路形状自在変更部材４は一対用意され、既設側溝幅方向の両コーナーに取り付けられる。一対であるがために、既設側溝１が部分的に狭くなっているところや、カーブなどの場合でも柔軟に取り付けることが出来る。
【００２８】
すなわち、それぞれ離して取り付けることが出来るからであり、もしも水路形状自在変更部材４が分離した一対のもので形成するのではなく、一体形成されたもので形成すると、画一的な幅の既設側溝１にしか取り付けられないからである。
【００２９】
次に、本件発明の水路形状自在変更部材４の構成につき説明する。
【００３０】
本件発明の水路形状自在変更部材４は、概ね断面略直角三角形状をなして形成されている（図1乃至図４参照）。そして、その一方側の底角部分から略９０度の角度で二方向へ延出する２つの面が水路形状自在変更部材４の裏面側となり、前記２つの面をつなぐ斜面、すなわち前記底角部分と対向する斜面が水路形状自在変更部材４の表面斜面１１となる。
【００３１】
そして、前記裏面側となる一方側の底角部分側から略９０度の角度で二方向へ延出する前記２つの表面側には、断面略Ｕ字状あるいは略凹状をなす側溝１の幅方向両コーナー部を形成する内側側壁面６と内側底壁面７とに各々当接する内側側壁面当接部８および内側底面当接部９とが設けられている。
【００３２】
なお、断面略Ｕ字状あるいは断面略凹状をなす既設側溝１は、前述した幅方向両コーナー部の内側がいわゆるＲ面として曲面状に構成されているものがあるが、このＲ面のＲ寸法はそれぞれの側溝1においては、若干の変化はあるものの一般的なＲ寸法はＲ＝５０程度とされている。
【００３３】
よって、本件発明では、前記両コーナー部のＲ面形状、すなわちＲ＝５０程度の曲率に柔軟に対応できるようすべく、内側側壁面当接部８および内側底面当接部９とが略９０度の角度で交差するいわゆる底角部分について、底角部分である略９０度の突出部分をなくして空間部とし、該空間部を前記両コーナー部にＲ＝５０以上の曲率を有する対応Ｒ面空間部１０として機能するよう構成したのである。
【００３４】
よって、これにより、Ｒ面が例えばＲ３０〜Ｒ５０の曲率を有する側溝１に充分対応できる水路形状自在変更部材４となり、それを固着して取り付ければよいものとされている。
【００３５】
ここで、水路形状自在変更部材４の種類につき図に基づいて説明すると、図1に示す水路形状自在変更部材４は、きわめて一般的な形状をなすもので、通常はこのタイプの水路形状自在変更部材４が使用される。
【００３６】
図２、図３に示す水路形状自在変更部材４は、前記表面斜面１１を略凹状の凹み面に形成し、該水路を通過する水が比較的多く流れるよう考慮したものである。
【００３７】
逆に図４では、前記表面斜面１１を凸状に膨出させて形成したものである。図４（ｂ）から理解されるように、水路はより狭くなっており、これにより流れる水の水量が少ないものであっても急速な流れを確保することができる。
【００３８】
図5に示す水路形状自在変更部材４は、幅の異なる側溝を連結する場合に使用されるものであり、厚みの薄い水路形状自在変更部材４側に幅の狭い側溝の側壁をあわせて連結される。そのために、厚みのある水路形状自在変更部材４と、厚みのない、薄い水路形状自在変更部材４とを側溝1内に取り付け、幅の狭い側溝との連結に対処している（図5参照）。
【００３９】
以上において、次に、水路形状自在変更部材４を側溝１内に取り付け固定する方法につき説明する。
【００４０】
図７から理解されるように、水路形状自在変更部材４の裏面には、前述したように、側溝１の両コーナー部に存するＲ面に対応できるＲ面対応空間部１０を有しており、該Ｒ面対応空間部１０に連通し、側溝１の内側側壁面６および内側底壁面７と水路形状自在変更部材４の裏面側とを接着すべく接着剤１２を導入する接着剤導入部１３を有している。
【００４１】
この接着剤導入部１３は、図８、図９に示す様に、導入開口１４と、該導入開口１４に連通する直線状をなす導入路１５とを有して構成されている。そして、この導入路１５の終端は、前記Ｒ面対応空間部１０に繋がって形成されている。
【００４２】
さらに、符号１６は、水路形状自在変更部材４の裏面に設けられた接着剤充填部であり、図１０に示す様に、該接着剤充填部１６は、水路形状自在変更部材４の長手方向両側に形成された内側側壁面当接部８、８を除きほぼ全面にわたって凹み部として設けられている。
【００４３】
ただ、この接着剤充填部１６の凹みの厚みは、図８から理解されるように、前記接着剤の導入路１５の溝の厚みより薄く形成され、該導入路１５の溝の厚みより略半分の凹みの厚みに形成されている。
【００４４】
さらに、符号１７は、図８に示す様に、水路形状自在変更部材４の内側底壁面当接部９に形成された接着剤充填路であり、該接着剤充填路１７は、図７に示す様に、前記Ｒ面対応空間部１０と連通しており、該Ｒ面対応空間部１０に充填された接着剤がこの接着剤充填路１７に流出し、もって、側溝１の内側底壁面７と水路形状自在変更部材４とを固着するものとしてある。
【００４５】
以上において、前記導入開口１４から接着剤（例えばモルタル）を充填する。すると接着剤は導入路１５に流出し、次いで前記接着剤充填部１６へ流出する。
【００４６】
さらに、接着剤は前記Ｒ面対応空間部１０に流れ込み、その後このＲ面対応空間部１０にから前記接着剤充填路１７へと流出する。
【００４７】
また、図７に示す様に、一対の水路形状自在変更部材４、４間に挟まれた底壁３の表面部は、特に側溝１が既設のものである場合には、長年の使用により凸凹面となっている場合が想定される。よって、そのような事態に対処すべく、該表面部をモルタル仕上げしておくことが好ましい。
【符号の説明】
【００４８】
１    既設側溝
２    側壁
３    底壁
４    水路形状自在変更部材
５    水路形状自在変更可能側溝部材
６    内側側壁面
７    内側底壁面
８    内側側壁面当接部
９    内側底壁面当接部
１０  Ｒ面対応空間部
１１  表面斜面
１２  接着剤
１３  接着剤導入部
１４  導入開口
１５  導入路
１６  接着剤充填部
１７  接着剤充填路
【図１】
0005896455.tif 000002
【図２】
0005896455.tif 000003
【図３】
0005896455.tif 000004
【図４】
0005896455.tif 000005
【図５】
0005896455.tif 000006
【図６】
0005896455.tif 000007
【図７】
0005896455.tif 000008
【図８】
0005896455.tif 000009
【図９】
0005896455.tif 000010
【図１０】
0005896455.tif 000011
【図１１】
0005896455.tif 000012